(57)【特許請求の範囲】
【請求項１】
被写体の光学像を光電変換する光電変換手段と、
上記光電変換手段の回転状態を検出する回転状態検出手段と、
上記光電変換手段の出力に基づき得られる画像情報に、上記回転状態検出手段により検出された撮影時における上記光電変換手段の回転状態を表す回転状態情報を付加する付加手段と
を有し、
上記回転状態検出手段は、
抵抗値がそれぞれ異なり、かつ互いに隣接する導電部材同士の上記抵抗値の合計がそれぞれ異なる４つの当該導電部材を絶縁材を介して一つなぎに接合し、互いに隣接する上記導電部材同士の接合点を頂点とする正方形状の空間が４つの上記導電部材の中央に設けられた接合体と、
上記接合体の上記正方形状の空間内に配設された移動自在の導電材からなるボールと、
上記ボールが停止したとき、当該ボールを介して接続された互いに隣接する２つの上記導電部材の電圧降下を検出する電圧検出部と
を具える電子スチルカメラ。
【請求項２】
上記回転状態情報が付加された上記画像情報を記録媒体に記録する記録手段と
を具える請求項１に記載の電子スチルカメラ。
【請求項３】
上記画像情報に付加された上記回転状態情報に基づいて、必要に応じて上記画像の向きを正しい向きに変更して表示する表示手段と
を具える請求項１に記載の電子スチルカメラ。
【発明の詳細な説明】
【０００１】
【発明の属する技術分野】
本発明は撮像装置及び撮像表示装置に関し、例えば電子スチルカメラ及び電子スチルカメラを用いて撮像した画像を表示する撮像表示システムに適用して好適なものである。
【０００２】
【従来の技術】
近年、ＣＣＤ（Charge Coupled Device ）の高解像度化各種記録媒体の記録容量の増大化が目ざましく、これに伴って画像を電子的に記録媒体に記録する電子スチルカメラの開発及び製品化が盛んになってきている。
【０００３】
このような状況のもと、電子スチルカメラにおいては、その精細度が銀塩フィルムを用いた従来のカメラに匹敵するようになっており、これに加えてデータ保持性や後処理の容易さから近年では広く利用されるようになってきている。
【０００４】
【発明が解決しようとする課題】
ところでかかる従来の電子スチルカメラにおいては、例えば図９（Ａ１）のような状態（以下、これを横状態と呼ぶ）で撮影した場合、図９（Ａ２）のように画像２が撮影時と同じ向きの状態で記録媒体（通常はメモリーカード又はフロッピーディスク）に記録されるのに対して、図９（Ｂ１）や図９（Ｃ１）のように横状態から90〔°〕回転した状態（以下、これを縦状態と呼ぶ）で撮影した場合には、図９（Ｂ２）や図９（Ｃ２）のように画像２が横倒しとなった状態で記録媒体に記録される。
【０００５】
そしてこのように記録媒体に記録された画像の画像データをパーソナルコンピュータ等に取り込んで当該画像データに基づく画像をディスプレイに表示した場合、図９（Ａ２）、図９（Ｂ２）及び図９（Ｃ２）の各画像２がそれぞれその状態のまま（横倒しのものはそのまま）表示されるため、電子スチルカメラ１を縦状態にして撮影した画像２が見づらくなる問題があった。
【０００６】
この場合パーソナルコンピュータの中には画像の向きを変更できるようになされたものもあるが、全ての横倒しの画像についてそのような変更処理のための操作をそれぞれ個別に行う必要があり、このような作業が煩雑となる問題があった。
【０００７】
また一般的に電子スチルカメラ１では、画像データを圧縮符号化して記録媒体に記録している。このため上述のように横倒しとなっている画像２を正しい向きに変換してからその画像データを保存しようとすると、記録媒体に記録された画像データを一度復号した後、これを画像が90〔°〕回転した正しい向きの画像の画像データに変換してから当該画像データを再び圧縮符号化することとなり、画質劣化が生じる問題があった。
【０００８】
さらに画質劣化を回避するため、横倒しとなっている画像２を正しい向きに変換してからその画像データを非圧縮で保存しようとすると、データ量が大幅に増加する問題があった。
【０００９】
本発明は以上の点を考慮してなされたもので、撮影により得られた画像を見やすく表示させ得る電子スチルカメラを提案しようとするものである。
【００１０】
【課題を解決するための手段】
かかる課題を解決するため本発明においては、被写体の光学像を光電変換する光電変換手段と、光電変換手段の回転状態を検出する回転状態検出手段と、光電変換手段の出力に基づき得られる画像情報に、回転状態検出手段により検出された撮影時における光電変換手段の回転状態を表す回転状態情報を付加する付加手段とを有し、回転状態検出手段は、抵抗値がそれぞれ異なり、かつ互いに隣接する導電部材同士の抵抗値の合計がそれぞれ異なる４つの当該導電部材を絶縁材を介して一つなぎに接合し、互いに隣接する導電部材同士の接合点を頂点とする正方形状の空間が４つの導電部材の中央に設けられた接合体と、接合体の正方形状の空間内に配設された移動自在の導電材からなるボールと、ボールが停止したとき、当該ボールを介して接続された互いに隣接する２つの導電部材の電圧降下を検出する電圧検出部とを設けるようにした。この結果、この電子スチルカメラで被写体を撮像する際、どの向きに当該電子スチルカメラを回転させても、その回転させた向きをすばやく検出することができ、またこの電子スチルカメラを用いた撮像により得られた画像情報に基づく画像をディスプレイ表示する際に、当該画像の向きを回転状態情報に基づいて正しい向きに変更することができる。
【００１２】
【発明の実施の形態】
以下図面について、本発明の一実施の形態を詳述する。
【００１３】
（１）本実施の形態による撮像表示システムの構成
図１において、１０は全体として本実施の形態による撮像表示システムを示し、電子スチルカメラ１１、電子スチルカメラ１１に装填されるメモリカード１２及び表示装置１３から構成されている。
【００１４】
電子スチルカメラ１１においては、外観を形成する筐体２０の前面にレンズ２１及びストロボ２２が配設されると共に、当該筐体２０の上面にシャッタボタン２３が配設されている。また筐体２０の一側面には、メモリカード１２の挿脱口（図示せず）が設けられており、当該挿脱口を介してメモリカード１２を筐体２０内部に装填し、又はメモリカード１２を筐体２０内部から取り出し得るようになされている。
【００１５】
また筐体２０の内部には図２に示すような信号処理系３０が収納されている。この場合この信号処理系３０においては、被写体の光学像がレンズ２１を介してＣＣＤ３１の受光面に集光される。そしてＣＣＤ３１は、この光学像を光電変換し、得られた撮像信号Ｓ１をアナログ／ディジタル変換回路３２に送出する。
【００１６】
アナログ／ディジタル変換回路３２は、撮像信号Ｓ１をディジタル変換し、得られた撮像データＤ１をディジタルシグナルプロセッサ３３に送出する。ディジタルシグナルプロセッサ３３は、撮像データＤ１に対して所定の信号処理を施し、得られた画像データＤ２をＪＰＥＧ（Joint Photographic Coding Experts Groupe）エンコーダ３４に送出する。
【００１７】
またＪＰＥＧエンコーダ３４には、ユーザが操作パネル３５のシャッタボタン２３（図１）を押圧操作したタイミングでＣＰＵ（Central Processing Unit ）３６からデータ取込み命令Ｃ１が与えられる。かくしてＪＰＥＧエンコーダ３４は、データ取込み命令Ｃ１が与えられたタイミングで１画像分の画像データＤ２をメモリ３７に取り込むと共にこれをＪＰＥＧ規格に基づいて圧縮符号化し、得られた符号化画像データＤ３をカードインターフェース回路３８に送出する。
【００１８】
このとき回転状態検出部３９は、レンズ２１の光学軸と垂直な平面内における電子スチルカメラ１１（正しくはＣＣＤ３１）の回転の状態（すなわち電子スチルカメラ１１を図９（Ａ１）のような横状態から図９（Ｂ１）や図９（Ｃ１）のような縦状態にする回転方向における状態、以下、これを回転状態と呼ぶ）を常時検出しており、検出結果に応じた回転検出信号Ｓ２をＣＰＵ３６に送出する。
【００１９】
またＣＰＵ３６は、回転検出信号Ｓ２に基づいて電子スチルカメラ１１の回転状態を操作パネル３５のシャッタボタン２３が押圧操作されたタイミングで認識し、認識結果を回転状態データＤ４としてカードインターフェース回路３８に送出する。
【００２０】
かくしてカードインターフェース回路３８は、ＪＰＥＧエンコーダ３４から供給される符号化画像データＤ３を順次バッファメモリ３９に格納すると共にこれを所定のタイミングで読み出し、当該読み出した符号化画像データＤ３に対して各画像ごとにＣＰＵ３６から与えられる回転状態データＤ４を付加し、これを図示しないカードスロットルに装填されたメモリカード１２内のメモリに格納する。
【００２１】
このようにしてこの電子スチルカメラ１１は、シャッタボタン２３が押圧操作されたタイミングの画像データ（符号化画像データＤ３）を、そのときの電子スチルカメラ１１の回転状態を表す回転状態データＤ４と共にメモリカード１２に記録する。
【００２２】
一方、表示装置１３においては、図３に示すように、ＣＰＵ４０、ＲＯＭ（Read Only Memory）４１、ＲＡＭ（Random Access Memory）４２、表示処理部４３、ＪＰＥＧデコーダ４４、カードインターフェース回路４５及びインターフェース回路４６、４７がバス４８を介して相互に接続されてなるパーソナルコンピュータ１３Ａを有し、当該パーソナルコンピュータ１３Ａの表示処理部４３にディスプレイ４９が接続され、各インターフェース回路４６、４７にそれぞれマウス５０及びキーボード５１が接続されることにより構成されている。
【００２３】
この場合ＣＰＵ４０は、マウス５０やキーボード５１が操作されて、電子スチルカメラ１１から取り出されたメモリカード１２から画像データを読み出すべき指令が入力されると、カードインターフェース回路４５を制御する。
【００２４】
この結果カードインターフェース回路４５は、図示しないカードスロットルに装填されたメモリカード１２内のメモリから上述のようにして記録された各画像の符号化画像データＤ３及びこれら画像にそれぞれ付加された回転状態データＤ４を読み出し、各画像の符号化画像データＤ３をＪＰＥＧデコーダ４４に送出する一方、各回転状態データＤ４をＣＰＵ４０に送出する。
【００２５】
このときＪＰＥＧデコーダ４４は、ＣＰＵ４０の制御のもとに、供給される各画像の符号化画像データＤ３を順次復号し、得られた各画像の画像データＤ１０をバス４８を介して表示処理部４３に送出する。
【００２６】
またＣＰＵ４０は、供給される各状態検出データＤ４に基づいて各画像の撮影時における電子スチルカメラ１１の回転状態を認識し、当該認識結果と予めＲＯＭ４１に格納されているプログラムとに基づいて表示処理部４３を制御する。
【００２７】
この結果表示処理部４３は、ＣＰＵ３６の制御のもとに、ＪＰＥＧデコーダ４４から供給される各画像の画像データＤ１０に基づいて、必要に応じて対応する画像の向きを正しい向きに直し（画像における上下方向をディスプレイ４９の上下方向に合わせるようにして）ながら、図４に示すような符号化画像データＤ３に基づく各画像５３のインデックス画面５２の画像データを生成してこれをディスプレイ４９に送出することにより、当該インデックス画面５２をディスプレイ４９に表示させる。
【００２８】
このようにしてこの撮像表示システム１０では、例えば図５（Ａ１）のように電子スチルカメラ１１を横状態にして撮影したときの画像５３を図５（Ａ２）のように撮影時と同じ状態でマイクロコンピュータ１３のディスプレイ４９に表示させ得るのは無論のこと、図５（Ｂ１）及び（Ｃ１）のように電子スチルカメラ１１を縦状態にして撮影した場合においても、そのときの画像５３を図５（Ｂ２）や図５（Ｃ２）のように自動的に正しい向きに直してマイクロコンピュータ１３のディスプレイ４９に表示させることができるようになっている。
【００２９】
（２）電子スチルカメラ１０の回転状態検出部３９の構成
ここで電子スチルカメラ１０の回転状態検出部３９は、図６に示すように、センサ部６０及びアナログ／ディジタル変換回路６１から構成されている。
【００３０】
この場合センサ部６０は、図７（Ａ）及び（Ｂ）に示すように、導電材からなる板状の第１〜第４の導体部材６２Ａ〜６２Ｄを絶縁材６３Ａ〜６３Ｄを介して正方形状に一つなぎに順次接合することにより形成された導体部材接合体６４を有している。
【００３１】
またこの導体部材接合体６４の内側には、第１〜第４の導体部材６２Ａ〜６２Ｄの各接合部分をそれぞれ頂点とする正方形状の空間６４Ａが設けられ、この空間６４Ａ内に導体部材接合体６４の厚み未満の直径を有する導電材からなるボール６５が移動自在に配置されている。さらに導体部材接合体６４の一面側及び他面側には、それぞれ空間６４Ａを閉塞するように閉塞板６６、６７が貼着されている。
【００３２】
そしてこの導体部材接合体６４は、例えば図８（Ａ１）及び（Ａ２）に示すように、その一面がレンズ２１の光学軸と垂直に位置し、かつ電子スチルカメラ１１の上下方向（矢印ａ1 ）及び左右方向（矢印ｂ1 ）と、当該導体部材接合体６４の上下方向（矢印ａ2 ）及び左右方向（矢印ｂ2 ）とが完全に一致するように電子スチルカメラ１１の内部に固定配置されている。
【００３３】
このとき導体部材接合体６４の第１及び第４の導体部材６２Ａ、６２Ｄには、図６に示すように、電源回路（図示せず）から供給される所定電圧ＶCCが印加されると共に、第２及び第３の導体部材６２Ｂ、６２Ｃからはリード線が引き出されており、このリード線がアナログ／ディジタル変換回路６１の入力端と接続されている。
【００３４】
また第１〜第４の導体部材６２Ａ〜６２Ｄは、それぞれ異なる値の抵抗値をもつように、かつそれぞれ隣接する第１〜第４の導体部材６２Ａ〜６２Ｄの抵抗値の合計値が全て異なる値となるように（すなわち第１及び第２の導体部材６２Ａ、６２Ｂの各抵抗値の合計値と、第２及び第４の導体部材６２Ｂ、６２Ｄの各抵抗値の合計値と、第３及び第４の導体部材６２Ｃ、６２Ｄの各抵抗値の合計値と、第１及び第３の導体部材６２Ａ、６２Ｃの各抵抗値の合計値とが全て異なる値となるように）形成されている。
【００３５】
これによりセンサ部６０においては、例えば電子スチルカメラ１１が図８（
Ａ１）のような横状態のときには、図８（Ａ２）のようにボール６５によって第３及び第４の導体部材６２Ｃ、６４Ｄが導通し、この結果電源回路からの電圧ＶCCを第４の導体部材６２Ｄ、ボール６５及び第３の導体部材６２Ｃにおいて順次降圧してなる第１の電圧Ｖ1 がアナログ／ディジタル変換回路６１に与えられる。
【００３６】
また電子スチルカメラ１１が図８（Ｂ１）のように図８（Ａ１）の回転状態から矢印ｃ方向に90〔°〕回転した縦状態の回転状態にあるときには、図８（Ｂ２）のようにボール６５によって第１及び第３の導体部材６２Ａ、６２Ｃが導通し、この結果電源回路からの電圧ＶCCを第１の導体部材６２Ａ、ボール６５及び第３の導体部材６３Ｃにおいて順次降圧してなる第２の電圧Ｖ2 がアナログ／ディジタル変換回路６１に与えられる。
【００３７】
さらに電子スチルカメラ１１が図８（Ｃ１）のように図８（Ａ１）の回転状態から矢印ｃと逆方向に90〔°〕回転した縦状態にあるときには、図８（Ｃ２）のようにボール６５によって第２及び第４の導体部材６２Ｂ、６２Ｄが導通し、この結果電源回路からの電圧ＶCCを第４の導体部材６２Ｄ、ボール６５及び第２の導体部材６２Ｂにおいて順次降圧してなる第３の電圧Ｖ3 がアナログ／ディジタル変換回路６１に与えられる。
【００３８】
さらに電子スチルカメラ１１が図８（Ｄ１）のように図８（Ａ１）の回転状態から矢印ｃ方向に180 〔°〕回転した回転状態（すなわち逆さまの状態）にあるときには、図８（Ｄ２）のようにボール６５によって第１及び第２の導体部材６２Ａ、６２Ｂが導通し、この結果電源回路からの電圧ＶCCを第１の導体部材６２Ａ、ボール６５及び第２の導体部材６２Ｂにおいて順次降圧してなる第４の電圧Ｖ4 がアナログ／ディジタル変換回路６１に与えられる。
【００３９】
そしてアナログ／ディジタル変換回路６１は、センサ部６０から与えられる第１〜第３又は第４の電圧Ｖ1 〜Ｖ3 又はＶ4 をディジタル変換し、得られたディジタルデータを上述の回転状態検出信号Ｓ２としてＣＰＵ３６に送出する。
【００４０】
この結果ＣＰＵ３６は、この回転状態検出信号Ｓ２に基づいて電子スチルカメラ１１の回転状態が図８（Ａ１）、図８（Ｂ１）、図８（Ｃ１）及び図８（Ｄ１）のうちのどの回転状態にあるかを認識し、認識結果に応じた２ビットのコード（例えば図８（Ａ１）のときには「００」、図８（Ｂ１）のときには「０１」、図８（Ｃ１）のときには「１０」、図８（Ｄ１）のときには「１１」）でなる上述の回転状態データＤ４を生成し、これをカードインターフェース回路３８に送出するようになされている。
【００４１】
（３）本実施の形態の動作及び効果
以上の構成において、この撮像表示システム１０では、撮影時における電子スチルカメラ１１の回転状態が回転状態検出部３９において検出され、この検出結果に基づく回転状態データＤ４が撮影により得られた符号化画像データＤ３と共にメモリカード１２内のメモリに格納される。
【００４２】
そして表示装置１３では、メモリカード１２から読み出した各画像５３の符号化画像データＤ３をそれぞれ復号すると共に、各回転状態データＤ４に基づいて必要な画像５３の向きを正しい向きに代えてディスプレイ４９に表示させる。
【００４３】
従ってこの撮像表示システム１０では、電子スチルカメラ１１を用いた撮影により得られた画像５３をディスプレイ表示させるときに各画像５３が必ず正しい向きで表示されるため、例えば横倒しの画像５３を立てて表示させるための煩雑な操作を必要とすることなく、撮影により得られた各画像５３を全て見やすく表示することができる。
【００４４】
またこの撮像表示システム１０では、電子スチルカメラ１１を用いた撮影により得られた各画像５３に対して、撮影時における電子スチルカメラ１１の回転状態を表す回転状態データＤ４を付加するため、各画像５３の画像データ（符号化画像データＤ３）を回転状態データＤ４と共に保存することによってデータ圧縮処理の繰り返しに起因する画質劣化の発生を未然に防止することができる。
【００４５】
以上の構成によれば、撮影時における電子スチルカメラ１１の回転状態を検出し、この検出結果に基づく回転状態データＤ４を撮影により得られた符号化画像データＤ３と共にメモリカード１２内のメモリに格納する一方、この符号化画像データＤ３に基づく画像５３をディスプレイ表示する際には、各回転状態データＤ４に基づいて必要な画像５３の向きを正しい向きに代えて表示するようにしたことにより、煩雑な操作を必要とすることなく、撮影により得られた各画像５３を全て見やすく表示し得るようにすることができる。
【００４６】
（４）他の実施の形態
なお上述の実施の形態においては、本発明を電子スチルカメラ１１に適用するようにした場合について述べたが、本発明はこれに限らず、要は、被写体の光学像を電気的な画像情報に変換する撮像装置であるのならば、例えばビデオカメラなど、この他種々の撮像装置に広く適用することができる。この場合において、その撮像装置が撮像により得られた画像データを記録媒体に記録する機能をもたず、画像データを直接ケーブル等を用いて表示装置に転送するようになされたものであっても良い。
【００４７】
また上述の実施の形態においては、被写体の光学像を光電変換する光電変換手段としてＣＣＤを適用するようにした場合について述べたが、本発明はこれに限らず、この他種々の光電変換手段を広く適用することができる。
【００４８】
さらに上述の実施の形態においては、電子スチルカメラ１１（正しくはＣＣＤ２１）の回転状態を検出する回転状態検出部６０を図６のように構成するようにした場合について述べたが、本発明はこれに限らず、この他種々の構成を広く適用することができる。この場合において、センサ部６０をジャイロなどの加速度センサや角速度センサ等を用いて回転方向及びその回転量を計測するようにして電子スチルカメラ１１の回転状態を検出するようにしても良い。
【００４９】
さらに上述の実施の形態においては、表示装置１３を図３のように構成するようにした場合について述べたが、本発明はこれに限らず、この他種々の構成を広く適用することができる。
【００５０】
さらに上述の実施の形態においては、電子スチルカメラ１１内部において符号化画像データＤ３に回転状態データＤ４を付加する付加手段を、カードインターフェース回路３８及びＣＰＵ３６により構成するようにした場合について述べたが、本発明はこれに限らず、例えば回転状態データＤ４をＪＰＥＧエンコーダ３４に与えて、当該ＪＰＥＧエンコーダ３４において符号化画像データＤ３に回転状態データＤ４を付加するようにしても良く、付加手段の構成としてはこの他種々の構成を広く適用することができる。
【００５１】
さらに上述の実施の形態においては、電子スチルカメラ１１の回転状態検出部３９が電子スチルカメラ１１の回転状態として、図８（Ａ１）、図８（Ｂ１）、図８（Ｃ１）及び図８（Ｄ１）の４つの回転状態しか検出できない場合について述べたが、本発明はこれに限らず、これ未満又は５以上の回転状態を検出できるようにしても良い。またさらには電子スチルカメラ１１の回転状態を１〔°〕単位で検出し、これを画像表示時に反映するように撮像表示システム１０を構築するようにしても良い。
【００５２】
【発明の効果】
上述のように本発明によれば、この電子スチルカメラで被写体を撮像する際、どの向きに当該電子スチルカメラを回転させても、その回転させた向きをすばやく検出することができ、またこの電子スチルカメラを用いた撮像により得られた画像情報に基づく画像をディスプレイ表示する際に、当該画像の向きを回転状態情報に基づいて正しい向きに変更することができ、かくして煩雑な操作を必要とせずに撮影により得られた画像を見やすく表示させ得るようにすることのできる電子スチルカメラを実現できる。
【図面の簡単な説明】
【図１】本実施の形態による撮像表示システムの全体構成を示す略線図である。
【図２】電子スチルカメラにおける信号処理系の構成を示すブロック図である。
【図３】表示装置の構成を示すブロック図である。
【図４】インデックス画面を示す略線図である。
【図５】本実施の形態での撮影時における電子スチルカメラの回転状態と、ディスプレイ表示される画像の向きとの関係を示す略線図である。
【図６】回転状態検出部の構成を示す略線図である。
【図７】センサ部の構成を示す側面図及びＸ−Ｘ′断面図である。
【図８】回転状態検出部による電子スチルカメラの回転状態の検出の説明に供する略線図である。
【図９】従来での撮影時における電子スチルカメラの回転状態と、ディスプレイ表示される画像の向きとの関係を示す略線図である。
【符号の説明】
１０……撮像表示システム、１１……電子スチルカメラ、１２……メモリカード、１３……表示装置、１３Ａ……パーソナルコンピュータ、３６……ＣＰＵ、３９……回転状態検出部、４９……ディスプレイ、５３……画像、６０……センサ部、６２Ａ〜６２Ｄ……導体部材、６３Ａ〜６３Ｄ……絶縁材、６４……導体部材接合体、６４Ａ……空間、６５……ボール、Ｓ１……撮像信号、Ｄ２……画像データ、Ｄ３……符号化画像データ、Ｄ４……回転状態データ、Ｓ２……回転状態検出信号。
【図１】
0004186091.tif 000002
【図２】
0004186091.tif 000003
【図３】
0004186091.tif 000004
【図４】
0004186091.tif 000005
【図５】
0004186091.tif 000006
【図６】
0004186091.tif 000007
【図７】
0004186091.tif 000008
【図８】
0004186091.tif 000009
【図９】
0004186091.tif 000010